(57)【要約】      （修正有）【課題】意匠性に富み、しかも、内壁等の出隅に取付けた後においても、貼着壁紙を損傷せしめることなくジョイナーカバーを別途形成せしめた意匠性の異なるジョイナーカバーに取替えることができるものであって、ひいては、事後的にも意匠性を容易に変化せしめることが出来る、出隅ジョイナーを提供する。【解決手段】内壁等の出隅に取付け自在とされた長尺状の横断面略Ｌ字形ジョイナーベース２ａと、該ジョイナーベース２ａの長手方向に沿ってその角部外面に係着自在とされた横断面略山形状のジョイナーカバー３ａとよりなる。ジョイナーベース２ａは所要の幅を備えた薄肉板状に形成され、その外表面に内壁面等のレベルでもって壁紙を貼着せしめるべく構成されている。【選択図】図１
0003154169.tif 000002
【実用新案登録請求の範囲】
【請求項１】
内壁等の出隅に取付け自在とされた長尺状の横断面略Ｌ字形ジョイナ−ベ−スと、該ジョイナ−ベ−スの長手方向に沿ってその角部外面に係着自在とされた横断面略山形状のジョイナ−カバ−とよりなり、上記ジョイナ−ベ−スは所要の幅を備えた薄肉板状に形成され、その外表面に内壁面等のレベルでもって壁紙を貼着せしめるべく構成されてなることを特徴とする、出隅ジョイナ−。
【請求項２】
ジョイナ−ベ−スの角部外面とジョイナ−カバ−の角部内面とにはその長手方向に沿って一方に係合凸条が、同他方に係合凹条が係着自在に形成されてなることを特徴とする
、請求項１記載の出隅ジョイナ−。
【請求項３】
ジョイナ−ベ−スの内面には内壁面等に接着せしめるべく両面接着テ−プが取付けられてなることを特徴とする、請求項１または２記載の出隅ジョイナ−。
【考案の詳細な説明】
【技術分野】
【０００１】
本考案は、建物の内壁や天井等における出隅に取付けて使用する出隅ジョイナ−に関す
る。
【背景技術】
【０００２】
従来より、建物の内壁や天井等における出隅を保護すると共に意匠性を付与せしめるべ
く出隅ジョイナ−が一般に広く使用されており、その一例として、特開２００１−１７３
２１６号公報（第３頁、図１２）や登録実用新案第３０５４８１５号公報には、長尺状と
された肉厚な横断面略Ｌ字形状の出隅ジョイナ−が開示されている。
そして、上述の如く構成された従来の出隅ジョイナ−は、建物の内壁や天井等に壁紙を
貼着せしめたのち、その出隅に当てがいつつ接着剤等を介して取付けるものとされている
。
【先行技術文献】
【特許文献】
【０００３】
【特許文献１】特開２００１−１７３２１６号公報（第３頁、図１２）
【特許文献２】登録実用新案第３０５４８１５号公報
【考案の概要】
【考案が解決しようとする課題】
【０００４】
ところで、上述の如く構成された従来の出隅ジョイナ−は、単に長尺な横断面略Ｌ字形
状に形成されているにすぎないものであるから、意匠性に乏しいのみならず、壁紙を貼着
せしめた内壁面等の出隅に接着剤等でもって固定的に取付けるものであるから、事後的に
貼着壁紙を損傷せしめることなく出隅ジョイナ−のみを取替えることが出来ないものであ
って、ひいては、事後的に意匠性を変化せしめることは出来ないものである。
【０００５】
本考案は、従来の課題を解決しようとするもので、意匠性に富み、しかも、内壁等の出
隅に取付けた後においても、貼着壁紙を損傷せしめることなくジョイナ−カバ−を別途形
成せしめた意匠性の異なるジョイナ−カバ−に取替えることができるものであって、ひい
ては、事後的にも意匠性を容易に変化せしめることが出来る、出隅ジョイナ−を提供する
にある。
【課題を解決するための手段】
【０００６】
上記の目的を達成するため、本考案の請求項１記載の考案は、内壁等の出隅に取付け自
在とされた長尺状の横断面略Ｌ字形ジョイナ−ベ−スと、該ジョイナ−ベ−スの長手方向
に沿ってその角部外面に係着自在とされた横断面略山形状のジョイナ−カバ−とよりなり
、上記ジョイナ−ベ−スは所要の幅を備えた薄肉板状に形成され、その外表面に内壁面等
のレベルでもって壁紙を貼着せしめるべく構成されてなることを特徴とする、出隅ジョイ
ナ−を要旨とするものである。
【０００７】
そして、上記請求項１記載の出隅ジョイナ−において、ジョイナ−ベ−スの角部外面と
ジョイナ−カバ−の角部内面とにはその長手方向に沿って一方に係合凸条が、同他方には
係合凹条が係着自在に形成され、また、ジョイナ−ベ−スの内面には内壁面等に接着せし
めるべく両面接着テ−プが取付けられている。
【考案の効果】
【０００８】
本考案は、上述のように構成されているから、ジョイナ−ベ−スを予め内壁等の出隅に
取付けたのち、その両側外表面から各々内壁面等に向けて壁紙を貼着せしめると共に、角
部外面にジョイナ−カバ−を係着せしめて取付けることが出来るものであって、従来例に
比して、意匠性に富んだ取付けを行うことが出来るのみならず、取付け後においても貼着
壁紙を損傷せしめることなくジョイナ−カバ−の係着を解いて取外し、別途形成した意匠
性の異なる他のジョイナ−カバ−に取替えることが出来るものであり、ひいては、事後的
にも意匠性を容易に変化せしめることが出来るものである。
【図面の簡単な説明】
【０００９】
【図１】本考案の一実施例を示す斜視図である。
【図２】本考案の使用状態を示す水平断面図である。
【図３】本考案の他の実施例を示す斜視図である。
【考案を実施するための形態】
【００１０】
以下に、本考案を実施するための形態を図面に示す一実施例に基づいて説明する。
【００１１】
図１及び図２は本考案の一実施例を示すもので、同図中、１ａは出隅ジョイナ−、２ａ
・３ａは該出隅ジョイナ−１ａを構成するジョイナ−ベ−スとジョイナ−カバ−で、該ジ
ョイナ−ベ−ス２ａは後記する内壁８の出隅９に沿って取付けるべく両側一対の長尺側板
４を直交状に接合して横断面Ｌ字形状に形成され、該両側板４の内面側には両面接着テ−
プ５が各々取付けられると共に、角部外面にはその長手方向に沿って係合凸条６が一体に
突設されている。そして、上記ジョイナ−ベ−ス２ａの両側板４はその外表面に各々後記
する壁紙１０を内壁８面レベルに貼着して隠蔽せしめるべく所要の幅を備えた薄肉板状に
形成されており、具体的には幅を２５ｍｍ，厚みを０．５ｍｍに設定せしめるとよい。ま
た、上記ジョイナ−カバ−３ａは、ジョイナ−ベ−ス２ａの角部をカバ−せしめるべく長
尺な横断面山形状に形成されると共に、その角部内面にはジョイナ−ベ−ス２ａの係合凸
条６に係合せしめるべく係合凹条７が長手方向に沿って内方突設されている。
その他、８は建物の内壁、９はその出隅、１０は壁紙を各々示す。
【００１２】
次に、上述の如く構成された実施例の使用例について説明する。
先ず、ジョイナ−ベ−ス２ａを予め内壁８の出隅９に当てがいつつ両面接着テ−プ５を
介して接着せしめる。しかるのち、ジョイナ−ベ−ス２ａを構成する両側板４の外面から
内壁８の外面に向けて壁紙１０を貼着せしめ、両側板４を貼着壁紙１０により隠蔽せしめ
たのち、係合凸条６に係合凹条７を係合せしめてジョイナ−カバ−３ａをジョイナ−ベ−
ス２ａに取付ける。このさい、内壁８の出隅９に取付けたジョイナ−ベ−ス２ａの両側板
４を貼着壁紙１０により隠蔽すると共に、その角部外面にジョイナ−カバ−３ａを係合凸
条６・係合凹条７でもって係着せしめるものであるから、単に長尺な横断面Ｌ字形状に形
成せしめた従来例に比して、意匠性に富むのみならず、取付け後においても貼着壁紙１０
を損傷せしめることなくジョイナ−カバ−３ａのみを必要に応じて適宜取外し、別途形成
した意匠性の異なるジョイナ−カバ−に取替えることができ、ひいては、事後的にも意匠
性を容易に変化せしめることが出来るものである。
【００１３】
図３は本考案の他の実施例を示す出隅ジョイナ−１ｂで、ジョイナ−ベ−ス２ｂの角部
外面に係合凹条７が突設されると共に、該係合凹条７に係合せしめるべく係合凸条６がジ
ョイナ−カバ−３ａの角部内面に突設された点が上記実施例と相違し、他の部分は同一で
あり、同一符号は同一部分を示す。
【００１４】
そして、上述の如く構成された実施例は、上記実施例と同様に、ジョイナ−ベ−ス２ｂ
を内壁８の出隅９に両面接着テ−プ５を介して接着せしめたのち、その両側板４外面から
内壁８の外面に向けて壁紙１０を貼着して隠蔽せしめると共に、その角部外面に係合凹条
７・係合凸条６を介してジョイナ−カバ−３ｂを係着せしめるものである。
【００１５】
なお、上記実施例において、出隅ジョイナ−１ａ・１ｂの適用例として内壁８が示され
ているが、これに限定されるものでなく、建物の天井等における出隅にも適用せしめるこ
とが出来るものである。
【符号の説明】
【００１６】
１ａ・１ｂ  出隅ジョイナ−
２ａ・２ｂ  ジョイナ−ベ−ス
３ａ・３ｂ  ジョイナ−カバ−
４  側板
５  両面接着テ−プ  
６  係合凸条
７  係合凹条
８  内壁
９  出隅
１０  壁紙
【図１】
0003154169.tif 000003
【図２】
0003154169.tif 000004
【図３】
0003154169.tif 000005